(57)【要約】【課題】袋状分離膜において、一対の分離膜の接合部の面積の管理を容易に行うことができるようにする。【解決手段】一対の分離膜２，３と、これら一対の分離膜２，３間に介在するスペーサー４とを備え、袋状に形成された袋状分離膜１において、一対の分離膜２，３同士を挟持部材５による挟持によって接合する。【選択図】図４
2010162502.tif 000002
【特許請求の範囲】
【請求項１】
接合手段によって相互に接合された一対の分離膜と、これら一対の分離膜間に介在するスペーサーとを備え、袋状に形成された袋状分離膜であって、
前記接合手段が、一対の前記分離膜同士を挟持する挟持部材であることを特徴とする袋状分離膜。
【請求項２】
一対の前記分離膜は、つづら折りされた一枚の素材の対向部であり、一対の前記分離膜は、複数組設けられていることを特徴とする請求項１に記載の袋状分離膜。
【請求項３】
一対の分離膜と、一対の前記分離膜間に介在するスペーサーとを備えた袋状分離膜を製造する袋状分離膜の製造方法であって、
一対の分離膜同士の間に前記スペーサーを入れてこれら一対の分離膜およびスペーサーを重ねる工程と、
前記分離膜および前記スペーサーの少なくとも一方を外側からの加熱によって溶融して一対の前記分離膜同士を接合し、前記袋状分離膜を得る工程と、
を含むことを特徴とする袋状分離膜の製造方法。
【請求項４】
一対の分離膜と、一対の前記分離膜間に介在するスペーサーとを備えた袋状分離膜を製造する袋状分離膜の製造方法であって、
一対の前記分離膜同士の間に前記スペーサーを入れてこれら一対の分離膜およびスペーサーを重ねる工程と、
一対の前記分離膜間に、接着剤入りの複数のマイクロカプセルを配置する工程と、
一対の前記分離膜同士を外側から加圧して、前記マイクロカプセルを潰して前記接着剤によって前記分離膜同士を接合して前記袋状分離膜を得る工程と、
を含むことを特徴とする袋状分離膜の製造方法。
【請求項５】
一対の前記分離膜のうちの一方の分離膜は、他方の前記分離膜よりも面積が大きく、
面積が大きい方の前記分離膜を折り曲げて、面積が小さい方の前記分離膜に、面積が大きい方の前記分離膜を被せ、この被せ部分の一対の前記分離膜同士を接合することを特徴とする請求項３又は４に記載の袋状分離膜の製造方法。
【請求項６】
前記袋状分離膜を得る工程では、規制部が一対の前記分離膜の接合範囲を規制することを特徴とする請求項３又は４に記載の袋状分離膜の製造方法。
【請求項７】
一対の前記分離膜は、つづら折りされた一枚の素材の対向部であり、一対の前記分離膜は、複数組設けられていることを特徴とする請求項３ないし６のいずれか一項に記載の袋状分離膜の製造方法。
【請求項８】
一対の分離膜と、一対の前記分離膜間に介在するスペーサーとを備えた袋状分離膜を製造する袋状分離膜の製造方法であって、
一対の前記分離膜同士の間に前記スペーサーを入れてこれら一対の分離膜およびスペーサーを重ねる工程と、
相互に重ねた一対の前記分離膜および前記スペーサーを液状の接着剤に浸して、前記接着剤によって一対の前記分離膜を接合し、前記袋状分離膜を得る工程と、
を含むことを特徴とする袋状分離膜の製造方法。
【発明の詳細な説明】
【技術分野】
【０００１】
本発明は、袋状分離膜および袋状分離膜の製造方法に関する。
【背景技術】
【０００２】
従来、浸透圧で水を浄化する膜分離装置に用いられる袋状分離膜は、一対の分離膜を重ね合わせて、その３辺の縁部を接着剤によって接着することにより製造されるようになっている（例えば、特許文献１参照）
【先行技術文献】
【特許文献】
【０００３】
【特許文献１】特開平１０−３４１号公報
【発明の概要】
【発明が解決しようとする課題】
【０００４】
このような袋状分離膜においては、分離膜の透過孔が接着剤によって塞がれてしまうので、その接着部分では水の透過機能が無くなり分離膜の透過有効面積が小さくなる。そこで、分離膜の接着による接合部分は、接合強度を維持する規定の範囲内にすることが望ましいが、上記従来の袋状分離膜の製造にあっては、一対のうちの一方の分離膜に接着剤を塗布して、この分離膜に他方の分離膜を押し当て、接着剤を一対の分離膜で挟み込むことでこれら一対の分離膜を接着するため、分離膜間で接着剤が規定の範囲を超えて広がってしまい、一対の分離膜の接合部の面積の管理が困難であるという問題がある。
【０００５】
そこで、本発明は、袋状分離膜において、一対の分離膜の接合部の面積の管理を容易に行うことができるようにすることを目的とする。
【課題を解決するための手段】
【０００６】
本発明の第１の態様は、接合手段によって相互に接合された一対の分離膜と、これら一対の分離膜間に介在するスペーサーとを備え、袋状に形成された袋状分離膜であって、前記接合手段が、一対の前記分離膜同士を挟持する挟持部材であることを特徴とする。
【０００７】
本発明の第２の態様は、第１の態様の袋状分離膜において、一対の前記分離膜は、つづら折りされた一枚の素材の対向部であり、一対の前記分離膜は、複数組設けられていることを特徴とする。
【０００８】
本発明の第３の態様は、一対の分離膜と、一対の前記分離膜間に介在するスペーサーとを備えた袋状分離膜を製造する袋状分離膜の製造方法であって、一対の分離膜同士の間に前記スペーサーを入れてこれら一対の分離膜およびスペーサーを重ねる工程と、前記分離膜および前記スペーサーの少なくとも一方を外側からの加熱によって溶融して一対の前記分離膜同士を接合し、前記袋状分離膜を得る工程と、を含むことを特徴とする。
【０００９】
本発明の第４の態様は、一対の分離膜と、一対の前記分離膜間に介在するスペーサーとを備えた袋状分離膜を製造する袋状分離膜の製造方法であって、一対の前記分離膜同士の間に前記スペーサーを入れてこれら一対の分離膜およびスペーサーを重ねる工程と、一対の前記分離膜間に、接着剤入りの複数のマイクロカプセルを配置する工程と、一対の前記分離膜同士を外側から加圧して、前記マイクロカプセルを潰して前記接着剤によって前記分離膜同士を接合して前記袋状分離膜を得る工程と、を含むことを特徴とする。
【００１０】
本発明の第５の態様は、第３又は第４の態様の袋状分離膜の製造方法において、一対の前記分離膜のうちの一方の分離膜は、他方の前記分離膜よりも面積が大きく、面積が大きい方の前記分離膜を折り曲げて、面積が小さい方の前記分離膜に、面積が大きい方の前記分離膜を被せ、この被せ部分の一対の前記分離膜同士を接合することを特徴とする。
【００１１】
本発明の第６の態様は、第３又は第４の態様の袋状分離膜の製造方法において、前記袋状分離膜を得る工程では、規制部が一対の前記分離膜の接合範囲を規制することを特徴とする。
【００１２】
本発明の第７の態様は、第３ないし第６の態様のいずれか一つの袋状分離膜の製造方法において、一対の前記分離膜は、つづら折りされた一枚の素材の対向部であり、一対の前記分離膜は、複数組設けられていることを特徴とする。
【００１３】
本発明の第８の態様は、一対の分離膜と、一対の前記分離膜間に介在するスペーサーとを備えた袋状分離膜を製造する袋状分離膜の製造方法であって、一対の前記分離膜同士の間に前記スペーサーを入れてこれら一対の分離膜およびスペーサーを重ねる工程と、相互に重ねた一対の前記分離膜および前記スペーサーを液状の接着剤に浸して、前記接着剤によって一対の前記分離膜を接合し、前記袋状分離膜を得る工程と、を含むことを特徴とする。
【発明の効果】
【００１４】
本発明によれば、袋状分離膜において、一対の分離膜の接合部の面積の管理を容易に行うことができる。
【図面の簡単な説明】
【００１５】
【図１】本発明の第１の実施形態にかかる袋状分離膜を示す平面図である。
【図２】本発明の第１の実施形態にかかる袋状分離膜を示す分解斜視図である。
【図３】本発明の第１の実施形態にかかる挟持部材を示し、（ａ）は側面図、（ｂ）は平面図である。
【図４】本発明の第１の実施形態にかかる挟持部材が分離膜を挟持した状態を示す側面図である
【図５】図１のＶ部の拡大図である。
【図６】本発明の第１の実施形態にかかる変形例の挟持部材を示す側面図である。
【図７】本発明の第２の実施形態にかかる袋状分離膜を示す平面図である。
【図８】本発明の第２の実施形態にかかる袋状分離膜の製造方法を説明するための説明図である。
【図９】本発明の第３の実施形態にかかる袋状分離膜を示す平面図である。
【図１０】本発明の第３の実施形態にかかる袋状分離膜の製造方法を説明するための説明図である。
【図１１】本発明の第４の実施形態にかかる袋状分離膜を示す平面図である。
【図１２】本発明の第４の実施形態にかかる袋状分離膜の製造方法を説明するための説明図である。
【図１３】本発明の第５の実施形態にかかる袋状分離膜を示す縦断側面図である。
【図１４】本発明の第５の実施形態にかかる袋状分離膜の製造方法を説明するための説明図である。
【図１５】本発明の第６の実施形態にかかる袋状分離膜を示す縦断側面図である。
【図１６】本発明の第６の実施形態にかかる袋状分離膜の製造方法を説明するための説明図である。
【図１７】本発明の第７の実施形態にかかる袋状分離膜を示す平面図である。
【図１８】本発明の第７の実施形態にかかる袋状分離膜の製造方法を説明するための説明図である。
【発明を実施するための形態】
【００１６】
［第１の実施形態］
本発明の第１の実施形態について図１ないし図６を参照して説明する。
【００１７】
図１に示す本実施形態の袋状分離膜１は、浸透圧で水を浄化する膜分離装置に用いられて、水を浄水（透過水）と濃縮水とに分離する逆浸透膜である。
【００１８】
袋状分離膜１は、図１および図２に示すように、相互に接続された一対の分離膜２，３と、これら一対の分離膜２，３間に介在するスペーサー４と、一対の分離膜２，３同士を接合する接合手段としての挟持部材５Ａ，５Ｂ，５Ｃを備え、袋状に形成されている。即ち、袋状分離膜１は、一端が開口されている。この袋状分離膜１は、例えばスパイラル状に巻回された状態で膜分離装置に取り付けられる。袋状分離膜１では、スペーサー４が一対の分離膜２，３間に介在することで、一対の分離膜２，３間に流路が確実に確保されるようになっている。
【００１９】
一対の分離膜２，３およびスペーサー４は、それぞれ別部品として形成されている。一対の分離膜２，３およびスペーサー４は、長方形に形成されているとともに、複数の透過孔が形成されている。これらの分離膜２，３およびスペーサー４は、樹脂によってシート状に形成されており、スペーサー４は、分離膜２，３よりも小さく形成されている。
【００２０】
一対の分離膜２，３同士は、挟持部材５Ａ，５Ｂ，５Ｃによって、３辺の縁部を挟持されて相互に接合されている。なお、以後では、これらの挟持部材５Ａ，５Ｂ，５Ｃを、説明の便宜上、単に符号５を用いて説明する場合もある。
【００２１】
挟持部材５は、図３に示すように、クリップ部６と、このクリップ部６に固定された自己癒着樹脂シート７とを備えて構成されている。クリップ部６は、一対の押さえ板部６ａと、これら一対の押さえ板部６ａの一縁部同士を連結した連結部６ｂと、各押さえ板部６ａの他縁部に固定された封止部６ｃと、を備えて構成されている。本実施形態の挟持部材５による挟持の挟み込み有効部分は、封止部６ｃの幅ａの範囲となっている。自己癒着樹脂シート７は、一対の押さえ板部６ａ間に位置しているとともに連結部６ｂに固定されている。自己癒着樹脂シート７は、他の自己癒着樹脂シート７と癒着可能な周知のシートである。
【００２２】
かかる構造の挟持部材５は、図４に示すように、クリップ部６の一対の押さえ板部６ａ間に挿入された一対の分離膜２，３の縁部を、クリップ部６のバネ力によって挟持している。このとき、一対の分離膜２，３には、封止部６ｃが接触しているとともに、一対の分離膜２，３間に、自己癒着樹脂シート７が介在している。スペーサー４はクリップ部６によって挟持されていない。そして、隣合う挟持部材５同士の連結部では、自己癒着樹脂シート７同士が重なり合ってそれら２枚の自己癒着樹脂シート７同士が癒着して癒着部ｂが形成されている。この挟持部材５は、分離膜２，３の縁部から分離膜２，３の間に水が浸入するのを封止部６ｃ、自己癒着樹脂シート７および癒着部ｂによって阻止している。
【００２３】
以上説明したように、本実施形態の袋状分離膜１では、一対の分離膜２，３を接合する接合手段が、一対の分離膜２，３同士を挟持する挟持部材５であることにより、挟持部材５による挟持面積は変わらないので、一対の分離膜２，３の接合部の面積の管理を容易に行うことができる。よって、分離膜２，３の透過有効面積が減少するのを抑制することができる。
【００２４】
また、本実施形態では、挟持部材５の挟持によって一対の分離膜２，３同士を接合しているので、一対の分離膜２，３同士の接合に接着剤を用いる必要が無く、接着剤で必要な乾燥工程が不要であるので、製造時間の短縮を図ることができる。
【００２５】
次に、本実施形態にかかる変形例の挟持部材１０５について図６を参照して説明する。この変形例の挟持部材１０５は、クリップ部１０６の一対の封止部６ｄ，６ｅの形状が挟持部材５に対して異なる。一方の封止部６ｄは、側面視半円状に形成されている一方、他方の封止部６ｅは、封止部６ｄが嵌るように凹状に形成さており、これらの封止部６ｄ，６ｅは相互に嵌合するようになっている。この構造では、一対の封止部６ｄ，６ｅが相互に嵌合するので、より強固に分離膜２，３同士を挟持することができる。また、この構造では、外部から水圧が作用することにより、より強い嵌合状態となり、より強固に分離膜２，３同士を接合することができる。
【００２６】
なお、スペーサー４を一対の分離膜２，３とともにクリップ部６によって挟持しても良い。
【００２７】
［第２の実施形態］
次に、本発明の第２の実施形態について図７および図８を参照して説明する。なお、第１の実施形態と同じ部分には同一符号を付与し、重複する説明は省略する。
【００２８】
本実施形態の袋状分離膜２０１は、一対の分離膜２，３を接合する接合手段が第１の実施形態の袋状分離膜１に対して異なる。
【００２９】
本実施形態では、図７および図８に示すように、スペーサー４は、分離膜２，３と略同じ大きさに形成されており、接合手段としてのスペーサー４の溶融部４ａによって一対の分離膜２，３が接合されている。即ち、本実施形態では、一対の分離膜２，３の接合部にスペーサー４の溶融部４ａが介在している。ここで、スペーサー４および分離膜２，３は、樹脂で形成されているが、スペーサー４の溶融温度は、分離膜２，３の溶融温度よりも低くなっている。
【００３０】
この袋状分離膜２０１の製造方法について説明する。図８に示すように、まず、一対の分離膜２，３同士の間にスペーサー４を入れてこれら一対の分離膜２，３およびスペーサー４を重ねる。なお、図８は、説明の便宜上、分離膜２，３およびスペーサー４間に隙間がある図としてあるが、実際には、隙間がないように状態に分離膜２，３およびスペーサー４を重ねる。
【００３１】
次に、スペーサー４を加熱装置２１１によって外側から加熱して溶融し、一対の分離膜２，３同士を接合し、袋状分離膜２０１を得る。このとき、本実施形態では、一方の分離膜２の表面に加熱装置２１１を分離膜２の３辺に沿って移動させることで、分離膜２を介してスペーサー４を外側から加熱して熔融させている。このスペーサー４の溶融部４ａが分離膜２，３に付着し、溶融部４ａが冷えて固化することで、分離膜２，３が溶融部４ａによって接続される。ここで、加熱装置２１１は、例えば熱を放射する加熱装置である。加熱装置２１１による加熱温度は、スペーサー４の溶融温度以上、且つ分離膜２，３の溶融温度未満に設定されている。ここで、図８中の矢印は、加熱装置２１１の移動経路を示している。
【００３２】
以上説明したように、本実施形態では、スペーサー４を外側からの加熱によって溶融して一対の分離膜２，３同士を接合し、袋状分離膜２０１を得ている。外側からの加熱によるスペーサー４の溶融面積は比較的容易に管理できるので、一対の分離膜２，３の接合部の面積の管理を容易に行うことができる。よって、分離膜２，３の透過有効面積が減少するのを抑制することができる。
【００３３】
なお、本実施形態では、スペーサー４を溶融させて一対の分離膜２，３同士を接合させる例を説明したが、これに限ることなく、分離膜２，３の少なくとも一方を溶融させて分離膜２，３同士をスペーサー４を介さずに接合させても良い。また、加熱装置２１１は、超音波によってスペーサー４や分離膜２，３を振動させることで加熱するものであっても良いし、加熱した板を分離膜２，３に押し付けてスペーサー４や分離膜２，３を加熱するものであっても良い。
【００３４】
［第３の実施形態］
次に、本発明の第３の実施形態について図９および図１０を参照して説明する。なお、第１の実施形態と同じ部分には同一符号を付与し、重複する説明は省略する。
【００３５】
本実施形態の袋状分離膜３０１は、一対の分離膜２，３を接合する接合手段が第１の実施形態の袋状分離膜１に対して異なる。
【００３６】
本実施形態では、図９および図１０に示すように、一対の分離膜２，３が、接合手段としての接着部３１０によって接合されている。この接着部３１０は、マイクロカプセルが破壊されてマイクロカプセルから露出した接着剤を含んで構成されている。その接着剤が一対の分離膜２，３同士を接着している。
【００３７】
この袋状分離膜３０１の製造方法について説明する。図１０に示すように、まず、一対の分離膜２，３同士の間にスペーサー４を入れてこれら一対の分離膜２，３およびスペーサー４を重ねる。なお、図１０は、説明の便宜上、分離膜２，３およびスペーサー４間に隙間がある図としてあるが、実際には、隙間がないように状態に分離膜２，３およびスペーサー４を重ねる。
【００３８】
次に、一対の分離膜２，３間に、接着剤入りの複数のマイクロカプセルを配置する。具体的には、分離膜２，３のうちのどちらか一方（図１０では、分離膜３）にマイクロカプセルを塗布する。ここで、図１０の符号１２は、マイクロカプセルが配置される領域を示している。
【００３９】
次に、一対の分離膜２，３同士を外側から加圧装置３１１によって加圧して、マイクロカプセルを潰して、マイクロカプセルから露出した接着剤によって分離膜２，３同士を接合して袋状分離膜１を得る。このとき、本実施形態では、一方の分離膜２の表面に加圧装置３１１を押し当てながら分離膜２の３辺に沿って移動させることで、分離膜２，３同士を外側から加圧装置３１１によって加圧している。ここで、図１０中の矢印は、加圧装置３１１の移動経路を示している。
【００４０】
以上説明したように、本実施形態では、一対の分離膜２，３同士を外側から加圧して、マイクロカプセルを潰してマイクロカプセルから露出した接着剤によって分離膜２，３同士を接合して袋状分離膜３０１を得ている。マイクロカプセルの接着剤は、前記従来構造の接着剤に比べて、ほとんど広がらないので、分離膜２，３同士の接合部の面積を比較的容易に管理できる。よって、分離膜２，３の透過有効面積が減少するのを抑制することができる。また、マイクロカプセルの接着剤は、固化や乾燥させる必要が無いので、袋状分離膜３０１の製造時間の短縮を図ることができる。
【００４１】
なお、一対の分離膜２，３同士の加圧として、加圧装置３１１を移動させながらの加圧を例に説明したが、これに限ることなく、分離膜２，３の加圧が必要な部位全体を加圧板によって一度に加圧しても良い。また、一対の分離膜２，３の接合は、接着テープによって行っても良い。
【００４２】
［第４の実施形態］
次に、本発明の第４の実施形態について図１１および図１２を参照して説明する。なお、第１の実施形態と同じ部分には同一符号を付与し、重複する説明は省略する。
【００４３】
本実施形態の袋状分離膜４０１は、一対の分離膜２，３の面積が相互に異なる点と、これら一対の分離膜２，３を接合する接合手段４１０が第１の実施形態の袋状分離膜１に対して異なる。
【００４４】
本実施形態では、一対の分離膜２，３のうちの一方の分離膜３は、他方の分離膜２よりも面積が大きい。そして、面積が大きい方の分離膜３を折り曲げて、面積が小さい方の分離膜２に、面積が大きい方の分離膜３を被せ、この被せ部分の一対の分離膜２，３同士を接合手段４１０によって接合している。ここで、図１２中の二点差線は、面積が大きい方の分離膜３の折り曲げ線を示している。
【００４５】
接合手段４１０としては、第２の実施形態で説明した、加熱によって分離膜２，３のうち少なくとも一方を溶融することでこれら分離膜２，３を接合するものや、第３の実施形態で説明した、マイクロカプセルを破壊してマイクカプセルから露出した接着剤によるものが適用される。
【００４６】
以上説明したように、本実施形態の袋状分離膜４０１では、一対の分離膜のうちの一方の分離膜３が、他方の分離膜２よりも面積が大きく、面積が大きい方の分離膜３を折り曲げて、面積が小さい方の分離膜２に面積が大きい方の分離膜３を被せ、この被せ部分の一対の分離膜２，３同士を接合する。したがって、面積が大きい方の分離膜３のうち分離膜２側とは反対側の面の全領域が水の透過が可能な領域となるので、分離膜３の透過有効面積を大きくすることができる。
【００４７】
［第５の実施形態］
次に、本発明の第５の実施形態について図１３および図１４を参照して説明する。なお、第２の実施形態と同じ部分には同一符号を付与し、重複する説明は省略する。
【００４８】
本実施形態の袋状分離膜５０１は、図１３に示すように、一対の分離膜２，３の接合範囲を規制する規制部５２０がスペーサー４の縁に一体に連設されている点が第２の実施形態の袋状分離膜２０１に対して異なる。
【００４９】
また、本実施形態では、スペーサー４において一対の分離膜２，３を接合する溶融部４ａが突形状をなしている。
【００５０】
規制部５２０は、溶融部４ａの外周側に位置しているとともに、図１４に示すように、その高さが溶融前の溶融部４ａの高さよりも低くなっている。また、規制部５２０の溶融温度は、スペーサー４の溶融温度よりも高くなっている。
【００５１】
そして、袋状分離膜５０１の製造方法は、第２の実施形態と同じく、スペーサー４の溶融部４ａを加熱装置２１１によって外側から加熱して溶融し、一対の分離膜２，３同士を接合し、袋状分離膜５０１を得る。この際、加熱によってスペーサー４の溶融部４ａが溶けて潰れ、これにより、一対の分離膜２，３間の間隔が狭くなっていくが、本実施形態では、溶融部４ａが規定の量潰れた段階で、規制部５２０が一対の分離膜２，３に挟まれ、それ以上の分離膜２，３同士の接近が規制部５２０によって阻止される。これにより、溶融部４ａのそれ以上の潰れも規制部５２０によって阻止され、一対の分離膜２，３の接合範囲が規制部５２０によって規制される。
【００５２】
以上説明したように、本実施形態では、規制部５２０が、一対の分離膜２，３の接合範囲を規制することにより、一対の分離膜２，３の接合部の面積の管理をより容易に行うことができる。また、これにより、一対の分離膜２，３を接合した後に、分離膜２，３の接合部の面積の検査を特段に行う必要がなくなる。
【００５３】
［第６の実施形態］
次に、本発明の第２の実施形態について図１５および図１６を参照して説明する。なお、第１の実施形態と同じ部分には同一符号を付与し、重複する説明は省略する。
【００５４】
本実施形態の袋状分離膜６０１は、一対の分離膜２，３が一枚の素材６３０から形成されている点が、第１の実施形態の袋状分離膜１に対して異なる。
【００５５】
一対の分離膜２，３は、つづら折りされた一枚の素材６３０の対向部であり、一対の分離膜２，３は、複数組（図面では４組）設けられている。そして、つづら折りされた一枚の素材６３０の対向部（一対の分離膜２，３）間にスペーサー４が挿入されている。各分離膜２，３を接合する接合手段は、上記各実施形態で説明したいずれの接合手段であっても良い。ただし、本実施形態では、一対の分離膜２，３の３辺のうち袋状の底部となる一辺は、素材６３０の折り曲げ部によって構成されて予め相互に接続されているので、別途接合手段を設ける必要はない。かかる構造の袋状分離膜６０１は、複数の袋部６０１ａが形成された袋状をなしている。
【００５６】
以上説明したように、本実施形態の袋状分離膜６０１では、一対の分離膜２，３は、つづら折りされた一枚の素材６３０の対向部であり、一対の分離膜２，３は、複数組設けられている。したがって、複数の袋部６０１ａを有する袋状分離膜６０１を容易に低コストで製造することができる。
【００５７】
［第７の実施形態］
次に、本発明の第７の実施形態について図１７および図１８を参照して説明する。なお、第１の実施形態と同じ部分には同一符号を付与し、重複する説明は省略する。
【００５８】
本実施形態の袋状分離膜６０１は、図１７に示すように、一対の分離膜２，３同士を接合する接合手段７１０が接着剤７３１（図１８参照）によって構成されている点が第１の実施形態の袋状分離膜１に対して異なる。
【００５９】
この袋状分離膜１の製造方法を説明する。図１８に示すように、まず、一対の分離膜２，３同士の間にスペーサー４を入れてこれら一対の分離膜２，３およびスペーサー４を重ねる。なお、図１８は、説明の便宜上、分離膜２，３およびスペーサー４間に隙間がある図としてあるが、実際には、隙間がないように状態に分離膜２，３およびスペーサー４を重ねる。
【００６０】
次に、相互に重ねた一対の分離膜２，３およびスペーサー４を、上面開口の容器７３０に収納された液状の接着剤７３１に浸して、その接着剤７３１によって一対の分離膜２，３を接合し、袋状分離膜７０１を得る。詳しくは、相互に重ねた一対の分離膜２，３およびスペーサー４の３辺を、容器７３０内の接着剤７３１に順次浸した後、一対の分離膜２，３およびスペーサー４の３辺に含浸した接着剤７３１を乾燥させる。こにより、袋状分離膜７０１が得られる。ここで、液状の接着剤７３１は、比較的粘度の低いものを採用することにより、毛細管現象によって一対の分離膜２，３およびスペーサー４に容易に浸入させることができる。
【００６１】
以上説明したように、本実施形態では、相互に重ねた一対の分離膜２，３およびスペーサー４を液状の接着剤７３１に浸して、その接着剤７３１によって一対の分離膜２，３を接合し、袋状分離膜７０１を得ることにより、接着剤が広がることを抑制することができるので、一対の分離膜２，３の接合部の面積の管理を容易に行うことができる。よって、分離膜２，３の透過有効面積が減少するのを抑制することができる。
【００６２】
また、一対の分離膜２，３の接合品質を、一対の分離膜２，３への接着剤７３１の含浸量や、一対の分離膜２，３を接着剤７３１に浸す時間、接着剤７３１の温度などによって管理することができ、一対の分離膜２，３の接合品質の検査を不要とすることができる。
【００６３】
なお、本発明は、上記各実施形態に限ることなく本発明の要旨を逸脱しない範囲で他の実施形態を各種採用することができる。
【符号の説明】
【００６４】
１，２０１，３０１，４０１，５０１，６０１  袋状分離膜
２，３  分離膜
４  スペーサー
５  挟持部材（接合手段）
６３０  素材
【図１】
2010162502.tif 000003
【図２】
2010162502.tif 000004
【図３】
2010162502.tif 000005
【図４】
2010162502.tif 000006
【図５】
2010162502.tif 000007
【図６】
2010162502.tif 000008
【図７】
2010162502.tif 000009
【図８】
2010162502.tif 000010
【図９】
2010162502.tif 000011
【図１０】
2010162502.tif 000012
【図１１】
2010162502.tif 000013
【図１２】
2010162502.tif 000014
【図１３】
2010162502.tif 000015
【図１４】
2010162502.tif 000016
【図１５】
2010162502.tif 000017
【図１６】
2010162502.tif 000018
【図１７】
2010162502.tif 000019
【図１８】
2010162502.tif 000020